(57)【特許請求の範囲】
【請求項１】
時分割複信（ＴＤＤ）通信のために設定された無線フレーム中でデータを送信する基地局（２０）における方法であって、前記無線フレームがスペシャルサブフレームを備え、前記スペシャルサブフレームが少なくとも１つのダウンリンクパートを備え、前記方法は、
反復なしデータ送信の場合、前記スペシャルサブフレームの前記ダウンリンクパート中の利用可能なシンボルの数を決定することと、
前記スペシャルサブフレームの前記ダウンリンクパート中の利用可能なシンボルの前記数がしきい値よりも大きい場合、前記スペシャルサブフレーム中の前記利用可能なシンボルを使用してレートマッチングを実行することと
を含む、方法。
【請求項２】
前記スペシャルサブフレーム中のシンボルの前記数が前記しきい値よりも大きくない場合、前記スペシャルサブフレームの前記ダウンリンクパート中の前記利用可能なシンボルを使用することなしにレートマッチングを実行すること
をさらに含む、請求項１に記載の方法。
【請求項３】
複数のサブフレームを含んでいるリソースユニットの一部として前記スペシャルサブフレームをカウントすること
をさらに含む、請求項１または２に記載の方法。
【請求項４】
前記スペシャルサブフレームなしのリソースユニットの場合と同じコードレートを使用してレートマッチングを実行し、前記利用可能なシンボルを充填するために前記スペシャルサブフレームを含んでいる前記リソースユニット中の送信ブロックサイズ（ＴＢＳ）を調整すること
をさらに含む、請求項３に記載の方法。
【請求項５】
スペシャルサブフレームなしのリソースユニットの場合と同じトランスポートブロックサイズ（ＴＢＳ）を使用することによってレートマッチングを実行し、前記利用可能なシンボルを充填するために前記スペシャルサブフレームを含んでいる前記リソースユニット中の前記コードレートを調整すること
をさらに含む、請求項１から３のいずれか一項に記載の方法。
【請求項６】
時分割複信（ＴＤＤ）通信のための無線フレーム中でデータを送信するために設定された基地局（２０）であって、前記無線フレームがスペシャルサブフレームを備え、前記スペシャルサブフレームが少なくとも１つのダウンリンクパートを備え、前記基地局（２０）は、
反復なしのデータ送信の場合、前記スペシャルサブフレームの前記ダウンリンクパート中の利用可能なシンボルの数を決定することと、
前記スペシャルサブフレームの前記ダウンリンクパート中の利用可能なシンボルの前記数がしきい値よりも大きい場合、前記スペシャルサブフレーム中の前記利用可能なシンボルを使用してレートマッチングを実行することと
を行うように適合された、基地局（２０）。
【請求項７】
請求項２から５のいずれか一項に記載の方法を実行するように適合された、請求項６に記載の基地局（２０）。
【請求項８】
実行可能命令を備えるコンピュータプログラムを含んでいる非一時的コンピュータ可読記憶媒体であって、
前記実行可能命令が、時分割複信（ＴＤＤ）通信のための無線フレーム中でデータを送信するための無線通信ネットワーク中の基地局（２０）であって、前記無線フレームがスペシャルサブフレームを備え、前記スペシャルサブフレームが少なくとも１つのダウンリンクパートを備える、基地局（２０）によって実行されたとき、前記基地局（２０）に、
反復なしのデータ送信の場合、前記スペシャルサブフレームの前記ダウンリンクパート中の利用可能なシンボルの数を決定することと、
前記スペシャルサブフレームの前記ダウンリンクパート中の利用可能なシンボルの前記数がしきい値よりも大きい場合、前記スペシャルサブフレーム中の前記利用可能なシンボルを使用してレートマッチングを実行することと
を行わせる、非一時的コンピュータ可読記憶媒体。
【発明の詳細な説明】
【技術分野】
【０００１】
本開示は、一般に、狭帯域モノのインターネット（ＮＢ−ＩｏＴ）のための無線通信ネットワークに関し、より詳細には、ＮＢ−ＩｏＴ送信のための時分割複信（ＴＤＤ）通信に関する。
【背景技術】
【０００２】
ロングタームエボリューション（ＬＴＥ）は周波数分割複信（ＦＤＤ）動作とＴＤＤ動作の両方をサポートする。ＦＤＤ動作の場合、異なるキャリア周波数がダウンリンク送信およびアップリンク送信のために使用される。タイプ１フレーム構造はＦＤＤ動作のために使用される。ＴＤＤ動作の場合、同じキャリア周波数がアップリンク送信とダウンリンク送信の両方のために使用される。タイプ２フレーム構造はＴＤＤ動作のために使用される。タイプ２フレームでは、無線フレーム内のサブフレームはダウンリンクサブフレーム、アップリンクサブフレーム、またはスペシャルサブフレームとしての使用のために割り当てられる。ダウンリンクサブフレームはダウンリンク送信のために使用され、アップリンクサブフレームはアップリンク送信のために使用される。ダウンリンクとアップリンクとの間の切替えはスペシャルサブフレーム中に行われる。
【０００３】
スペシャルサブフレームは、３つの部分、すなわち、ダウンリンクパイロットタイムスロット（ＤｗＰＴＳ）、ガード期間（ＧＰ）およびアップリンクパイロットタイムスロット（ＵｐＰＴＳ）に分割される。ＬＴＥでは、ＤｗＰＴＳは、時々、通常のダウンリンクサブフレームのように処理され、データ送信のために使用されるが、ＤｗＰＴＳの長さは通常のサブフレームよりも小さく、送信され得るデータ量は相応してより小さい。ＵｐＰＴＳは、一般にデータ送信のために使用されないが、チャネルサウンディングまたはランダムアクセスのために使用され得る。ＵｐＰＴＳはまた、ブランクのままにされ、延長ガード期間として働くことができる。
【０００４】
第３世代パートナーシッププロジェクト（３ＧＰＰ）は、現在、モノのインターネット（ＩｏＴ）のために特に適合された狭帯域モノのインターネット（ＮＢ−ＩｏＴ）と呼ばれる規格を開発している。この新しい無線アクセス技術は、改善された室内カバレッジ、莫大な数の低スループットデバイスのためのサポート、低遅延感度、超低デバイスコスト、低デバイス電力消費、および最適化されたネットワークアーキテクチャを与えるように意図される。ＮＢ−ＩｏＴ無線アクセス技術は、３つの動作モード、すなわち、（１）ＮＢ−ＩｏＴが、任意の利用可能なスペクトル中のスタンドアロンキャリアを使用するスタンドアロン動作と、（２）ＮＢ−ＩｏＴが、ＬＴＥガードバンド内のスペクトルを使用するガードバンド動作と、（３）ＮＢ−ＩｏＴが、通常のＬＴＥキャリア内のスペクトルを使用するインバンド動作とをサポートする。
【０００５】
３ＧＰＰは、最近、ＴＤＤ動作をサポートするためのＮＢ−ＩｏＴ向上に関する作業項目を承認した。ＬＴＥシステムでは、スペシャルサブフレームのＤｗＰＴＳフィールドは、ダウンリンク上でユーザデータまたは制御情報を送信するために使用され得る。適切なトランスポートブロックサイズを使用し、送信時間インターバル（ＴＴＩ）長さが常に１ミリ秒に等しいことを利用することによって、スペシャルサブフレームが、自律データ（たとえば、新しいデータ、新しいスケジューリング情報など）を搬送するために使用され、したがって、任意の他の利用可能なダウンリンクサブフレームとして処理され得る。
【０００６】
従来のＬＴＥシステムとは対照的に、ＮＢ−ＩｏＴ送信は多数の反復と可変リソースユニット（ＲＵ）長さとを使用する。ＮＢ−ＩｏＴは、反復と可変ＴＴＩ長さとを使用するので、ダウンリンク送信のためのＤｗＰＴＳの使用はＮＢ−ＩｏＴのために同様に適用されることができない。さらなる厄介な問題は、ＮＢ−ＩｏＴが３つの動作モードを有することである。すべての３つの動作モードのための共通のＴＤＤ設計を使用することが望ましいであろう。
【発明の概要】
【０００７】
本開示は、ＮＢ−ＩｏＴ通信ネットワークにおけるＮＢ−ＩｏＴ送信のために設計された新しいＴＤＤモードに関する。例示的な実施形態では、基地局またはユーザ機器（ＵＥ）などの無線ノードは、ＴＤＤ動作のために設定され、それぞれＮＢ−ＩｏＴ送信のためのＤｗＰＴＳまたはＵｐＰＴＳ中の利用可能なシンボルを利用することができる。一例では、基地局は、直前のダウンリンクサブフレーム中で、または後続のダウンリンクサブフレーム中で送信されたＯＦＤＭシンボルのうちのいくつかを所定の様態で反復するために、ＤｗＰＴＳ中のＯＦＤＭシンボルを使用することができる。同様に、ＵＥは、直後のアップリンクサブフレーム中で、または先行するアップリンクサブフレーム中で送信されたシンボルのうちのいくつかを所定の様態で反復するために、ＵｐＰＴＳ中のシンボルを使用することができる。スペシャルサブフレーム中で反復されるシンボルは、ダウンリンクまたはアップリンクサブフレーム中で送信される対応するシンボルと受信機においてコヒーレントに組み合わせられて、復号性能を改善し、ブロックエラーレート（ＢＬＥＲ）を低減し、これによりシステム容量が増加し得る。無線ノードはまた、（たとえば、必要とされる反復の数を低減するためにチャネル推定を改善するために）ＤｗＰＴＳおよびＵｐＰＴＳフィールド上で搬送されるＯＦＤＭシンボル中の重複情報を利用することができ、これは、より低い電力消費およびより長いバッテリー寿命につながり得る。
【０００８】
本開示の一態様によれば、反復なしのＮＢ−ＩｏＴ送信の場合（すなわち、反復の数が１に等しい場合）、スペシャルサブフレームはレートマッチングのために使用され得る。ダウンリンクまたはアップリンク送信のための反復の数が１に等しい（リソースユニットが反復されないことを意味する）場合、および、スペシャルサブフレームのＤｗＰＴＳまたはＵｐＰＴＳによって使用されるシンボルの数がしきい値に従って十分大きい（たとえば、しきい値よりも大きい）場合、スペシャルサブフレームはリソースユニットの一部としてカウントされ得、スペシャルサブフレームのＤｗＰＴＳまたはＵｐＰＴＳ中の利用可能なシンボルはレートマッチングのために使用される。スペシャルサブフレームのＤｗＰＴＳまたはＵｐＰＴＳ中のシンボルの数がしきい値に従って小さい（たとえば、しきい値よりも小さい）場合、スペシャルサブフレームはリソースユニットの一部としてカウントされ得るが、スペシャルサブフレームのＤｗＰＴＳまたはＵｐＰＴＳ中のシンボルはレートマッチングのために使用されない。
【０００９】
本開示の一態様は、時分割複信（ＴＤＤ）通信の送信無線ノードによって実装される方法を含む。一実施形態では、本方法は、複数のシンボルを備える第１のサブフレームを送信することであって、第１のサブフレームが、ＴＤＤ通信のために使用される無線フレーム中のダウンリンクサブフレームおよびアップリンクサブフレームのうちの１つを含む、第１のサブフレームを送信することと、無線フレーム中のスペシャルサブフレームにおいて第１のサブフレームの１つまたは複数のシンボル中のリソースエレメントを反復することであって、前記スペシャルサブフレームが、ダウンリンク送信モードとアップリンク送信モードとの間で無線ノードを切り替えるためのガード期間を備える、リソースエレメントを反復することとを含む。
【００１０】
本開示の別の態様は、ＴＤＤ通信のために設定された無線通信ネットワーク中の送信無線ノードを備える。一実施形態では、送信無線ノードは、無線通信ネットワーク中の第２の無線ノードに信号を送信するためのインターフェース回路と、処理回路とを備える。処理回路は、複数のシンボルを備える第１のサブフレーム中でデータを送信することであって、第１のサブフレームが、ＴＤＤ通信のために使用される無線フレーム中のダウンリンクサブフレームおよびアップリンクサブフレームのうちの１つを含む、データを送信することと、スペシャルサブフレームにおいて第１のサブフレームの１つまたは複数のシンボル中のリソースエレメントを反復することであって、スペシャルサブフレームが、ダウンリンク送信モードとアップリンク送信モードとの間で無線ノードを切り替えるためのガード期間を備える、リソースエレメントを反復することとを行うように設定される。本開示の一態様は、時分割複信（ＴＤＤ）通信の受信無線ノードによって実装される方法を備える。一実施形態では、本方法は、複数のシンボルを備える第１のサブフレームを受信することであって、第１のサブフレームが、ＴＤＤ通信のために使用される無線フレーム中のダウンリンクサブフレームおよびアップリンクサブフレームのうちの１つを含む、第１のサブフレームを受信することと、無線フレーム中で、ダウンリンク送信モードとアップリンク送信モードとの間で無線ノードを切り替えるためのガード期間を備えるスペシャルサブフレームを受信することであって、前記スペシャルサブフレームが第１のサブフレームの１つまたは複数のシンボル中のリソースエレメントの反復を含んでいる、スペシャルサブフレームを受信することとを含む。
【００１１】
本開示の別の態様は、ＴＤＤ通信のために設定された無線通信ネットワーク中の受信無線ノードを含む。一実施形態では、受信無線ノードは、無線通信ネットワーク中の第２の無線ノードに信号を送信するためのインターフェース回路と、処理回路とを備える。処理回路は、複数のシンボルを備える第１のサブフレームを受信することであって、第１のサブフレームが、ＴＤＤ通信のために使用される無線フレーム中のダウンリンクサブフレームおよびアップリンクサブフレームのうちの１つを含む、第１のサブフレームを受信することと、無線フレーム中で、ダウンリンク送信モードとアップリンク送信モードの間で無線ノードを切り替えるためのガード期間を備えるスペシャルサブフレームを受信することであって、前記スペシャルサブフレームが第１のサブフレームの１つまたは複数のシンボル中のリソースエレメントの反復を含んでいる、スペシャルサブフレームを受信することとを行うように設定される。
【図面の簡単な説明】
【００１２】
【図１】ＴＤＤを採用するＮＢ−ＩｏＴ通信ネットワークを示す図である。
【図２Ａ】ＮＢ−ＩｏＴ通信ネットワークにおいて使用される無線リソースを示す図である。
【図２Ｂ】ＴＤＤ通信において使用される例示的な無線フレームの構造を示す図である。
【図３】ＴＤＤ通信のための例示的なダウンリンクサブフレーム中のリソースマッピングを示す図である。
【図４】ダウンリンクサブフレームからのスペシャルサブフレームに対するＯＦＤＭシンボルのマッピングを示す図である。
【図５Ａ】参照信号を含んでいるスペシャルサブフレーム中のＯＦＤＭシンボルのみに対する、データを含んでいるダウンリンクサブフレーム中のＯＦＤＭシンボルのマッピングを示す図である。
【図５Ｂ】同じロケーションにおける参照信号を含んでいるスペシャルサブフレーム中のＯＦＤＭシンボルに対する、参照信号を含んでいるダウンリンクサブフレーム中のＯＦＤＭシンボルのマッピングを示す図である。
【図５Ｃ】参照信号を有しないスペシャルサブフレーム中のＯＦＤＭシンボルに対する、参照信号を含んでいるダウンリンクサブフレーム中のＯＦＤＭシンボルのマッピングを示す図である。
【図５Ｄ】異なるタイプの参照信号を含んでいるスペシャルサブフレーム中のＯＦＤＭシンボルに対する、参照信号を含んでいるダウンリンクサブフレーム中のＯＦＤＭシンボルのマッピングを示す図である。
【図６】ＴＤＤ通信のための例示的なアップリンクサブフレーム中のリソースマッピングを示す図である。
【図７】アップリンクサブフレームからのスペシャルサブフレームに対するシンボルのマッピングを示す図である。
【図８】スペシャルサブフレーム中のシンボルを使用するレートマッチングを示す図である。
【図９】ＴＤＤ通信ネットワークにおける無線ノードによって実装されるデータ送信の例示的な方法を示す図である。
【図１０】ＴＤＤ通信ネットワークにおける無線ノードによって実装されるデータ受信の例示的な方法を示す図である。
【図１１】ＴＤＤ通信ネットワークにおける無線ノードによって実装されるデータ受信の例示的な方法を示す図である。
【図１２】本明細書で説明したＴＤＤ通信のために設定された無線ノードの主要な機能エレメントを示す図である。
【発明を実施するための形態】
【００１３】
図１は、無線通信ネットワーク１０における基地局２０とＵＥ３０との間の通信を示す。基地局２０は、時々、適用可能な規格において、発展型ノードＢ（ｅＮＢ）または５ＧノードＢ（ｇＮＢ）と呼ばれる。無線デバイスと呼ばれることがあるＵＥ３０は、セルラー電話、スマートフォン、ラップトップコンピュータ、ノートブックコンピュータ、タブレット、マシンツーマシン（Ｍ２Ｍ）通信デバイス（マシンタイプ通信（ＭＴＣ）デバイスとも呼ばれる）、または無線通信機能をもつ他のデバイスを備え得る。用語「無線ノード」は、一般に、基地局２０、ＵＥ３０、または無線周波数信号を使用して通信する他のデバイスを指すために本明細書で使用される。図１に示されているように、基地局２０は、狭帯域物理ダウンリンク共有チャネル（ＮＰＤＳＣＨ）、狭帯域物理ダウンリンク制御チャネル（ＮＰＤＣＣＨ）、および狭帯域物理ブロードキャストチャネル（ＮＰＢＣＨ）上のダウンリンク中でＵＥ３０にデータを送信する。ＵＥ３０は狭帯域物理アップリンク共有チャネル（ＮＰＵＳＣＨ）上のアップリンク中で基地局２０にデータを送信する。
【００１４】
ＮＢ−ＩｏＴ通信ネットワーク１０は、ダウンリンク中では直交周波数分割多重（ＯＦＤＭ）を使用し、アップリンク中ではシングルキャリア周波数分割多元接続（ＳＣ−ＦＤＭＡ）を使用する。ＮＢ−ＩｏＴ通信ネットワーク１０における利用可能な無線リソースは、図２Ａに示されているように時間周波数グリッド５０として閲覧され得る。時間領域中で、物理リソースはサブフレームに分割される。各サブフレームはいつくかのシンボル（たとえば、ダウンリンクのためのＯＦＤＭシンボルおよびアップリンクのためのＳＣ−ＦＤＭＡシンボル）を含む。マルチパス分散が極めて厳しいことが予想されない状況における使用のために好適なノーマルサイクリックプレフィックス（ＣＰ）長さの場合、サブフレームは１４個のシンボルを備える。拡張サイクリックプレフィックスが使用される場合、サブフレームは１２個のシンボルを備える。周波数領域中で、物理リソースは、１５ｋＨｚの間隔をもつ隣接するサブキャリアに分割される。サブキャリアの数は、割り当てられたシステム帯域幅に応じて変動する。時間周波数グリッド５０の最も小さいエレメントはリソースエレメント（ＲＥ）５２である。
【００１５】
例示的な実施形態では、基地局２０およびＵＥ３０は、ＴＤＤ動作をサポートするように設定される。ＴＤＤ動作の場合、同じキャリア周波数がアップリンク送信とダウンリンク送信の両方のために使用される。タイプ２フレーム構造はＴＤＤ動作のために使用される。図２ＢはＴＤＤ通信のための例示的なフレーム構造を示す。図２Ｂに示されたタイプ２フレーム構造において、無線フレーム内のサブフレームは、ダウンリンク（ＤＬ）サブフレーム、アップリンク（ＵＬ）サブフレーム、またはスペシャル（Ｓ）サブフレームとしての使用のために割り当てられる。ダウンリンクサブフレームはＮＰＤＳＣＨ、ＮＰＤＣＣＨ、またはＮＰＢＣＨ上のダウンリンク送信のために使用され、アップリンクサブフレームはＮＰＵＳＣＨ上のアップリンク送信のために使用される。ダウンリンクとアップリンクとの間の切替えはスペシャルサブフレーム中に行われる。
【００１６】
異なる量のリソース（たとえば、サブフレーム）がアップリンク送信およびダウンリンク送信のために割り当てられ得る。以下の表１は、３ＧＰＰ  ＴＳ３６．２１１，  ”Ｐｈｙｓｉｃａｌ  Ｃｈａｎｎｅｌｓ  ａｎｄ  Ｍｏｄｕｌａｔｉｏｎ”，  Ｖ１４．２．０に記載されている既存のＬＴＥ  ＴＤＤ設定を示す。表１に見られるように、サブフレーム０および５は常にダウンリンク送信のために割り当てられるが、サブフレーム２は常にアップリンク送信のために割り当てられる。残っているサブフレーム（スペシャルサブフレームを除く）は、次いで、ＴＤＤ設定に応じてダウンリンクまたはアップリンク送信のためにフレキシブルに割り当てられ得る。
0006907405.tif 000002
【００１７】
表１に見られるように、ダウンリンク送信からアップリンク送信への切替えは、あらゆる無線フレームのためにただ１つのスペシャルサブフレームがあるように、ＴＤＤ設定３、４、および５のために１０ミリ秒ごとに行われる。ＴＤＤ設定０、１、２、および６の場合、２つのスペシャルサブフレームがあらゆる無線フレームにおける切替えのために使用されるように、ダウンリンクからアップリンクへの切替え期間は５ミリ秒である。
【００１８】
ＴＤＤ設定は、通常、システム情報（ＳＩ）の一部として与えられ、一般に、まれに変更される。ＬＴＥ仕様のリリース１４によれば、ＴＤＤ設定情報は、以下に示されたＳｙｓｔｅｍＩｎｆｏｒｍａｔｉｏｎＢｌｏｃｋＴｙｐｅ１メッセージ中に含まれている。
0006907405.tif 000003
【００１９】
より詳細には、ＴＤＤ  Ｃｏｎｆｉｇ情報要素（ＩＥ）は、ＴＤＤ固有物理チャネル設定を指定するために使用される。ＴＤＤ  Ｃｏｎｆｉｇ  ＩＥは以下に示されている。
0006907405.tif 000004
【００２０】
以下の表２は、ＴＤＤ  Ｃｏｎｆｉｇ  ＩＥにおけるコンテンツを記述する３ＧＰＰ  ＴＳ３６．３３１の関連部分を含んでいる。
0006907405.tif 000005
【００２１】
再び図２Ｂを参照すると、無線フレーム中のスペシャルサブフレームは、３つの部分、すなわち、ＤｗＰＴＳ（ダウンリンクパートとも呼ばれる）、ＧＰ、およびＵｐＰＴＳ（アップリンクパートとも呼ばれる）に分割される。スペシャルサブフレームの全長は３０，７２０ｘＴｓ＝１ｍｓであるが、サブフレームの個々の部分は可変長を有する。Ｔｓは、ＬＴＥ仕様において定義された時間の基本単位である。ＬＴＥは、以下の表３に示されているスペシャルサブフレームのための１１個の異なる設定を指定している。
0006907405.tif 000006
【００２２】
例示的な実施形態では、基地局２０またはＵＥ３０は、それぞれダウンリンクＮＢ−ＩｏＴ送信および／またはアップリンクＮＢ−ＩｏＴ送信のためにＤｗＰＴＳまたはＵｐＰＴＳ中の利用可能なシンボルを利用することができる。一例では、基地局２０は、スペシャルサブフレームの直前の有効なダウンリンクサブフレーム中で、またはスペシャルサブフレームの後に来る有効なダウンリンクサブフレーム中で送信されるＯＦＤＭシンボルのうちのいくつかを所定の様態で反復するために、ＤｗＰＴＳ中のＯＦＤＭシンボルを使用することができる。同様に、ＵＥ３０は、スペシャルサブフレームの直後の有効なアップリンクサブフレーム中で、またはスペシャルサブフレームに先行する有効なアップリンクサブフレーム中で送信されるＳＣ−ＦＤＭＡシンボルのうちのいくつかを所定の様態で反復するためにＵｐＰＴＳ中のＳＣ−ＦＤＭＡシンボルを使用することができる。スペシャルサブフレーム中で反復されるシンボルは、ダウンリンクまたはアップリンクサブフレーム中で送信される対応するシンボルと受信機においてコヒーレントに組み合わせられて、復号性能を改善し、ブロックエラーレート（ＢＬＥＲ）を低減し、これによりシステム容量が増加し得る。無線ノードはまた、（たとえば、必要とされる反復の数を低減するためにチャネル推定を改善するために）ＤｗＰＴＳおよびＵｐＰＴＳフィールド上で搬送されるＯＦＤＭシンボル中の重複情報を利用することができ、これは、より低い電力消費およびより長いバッテリー寿命につながり得る。
【００２３】
いくつかの実施形態では、ＤｗＰＴＳまたはＵｐＰＴＳ中のＯＦＤＭまたはＳＣ−ＦＤＭＡシンボルの数がそれぞれしきい値要件を満たす場合のみ、スペシャルサブフレームはダウンリンク送信またはアップリンク送信のために使用される。ＮＢ−ＩｏＴの現行バージョンでは、有効なサブフレームおよび無効なサブフレームはビットマップによって示され、このビットマップは所定の最大ビット数を有する（たとえば、インバンドの場合は４０ビット、スタンドアロンの場合は１０ビット）。ビットマップの長さは制限されるので、スペシャルサブフレームは、ビットを保存するためにビットマップから省略され得、しきい値要件は、スペシャルサブフレームが有効であるかどうかを決定するために使用され得る。スペシャルサブフレームが有効である（たとえば、ＤｗＰＴＳまたはＵｐＰＴＳ中のシンボルの＃がしきい値要件を満たす）場合、サブフレームはダウンリンク送信またはアップリンク送信のために使用される。スペシャルサブフレームが無効である（たとえば、ＤｗＰＴＳまたはＵｐＰＴＳ中のシンボルの＃がしきい値要件を満たさない）場合、サブフレームはダウンリンク送信またはアップリンク送信のために使用されない。
【００２４】
基地局２０からＵＥ３０へのダウンリンク送信の場合、ＤｗＰＴＳ中のＯＦＤＭシンボルは、ＮＰＤＳＣＨ、ＮＰＤＣＣＨ、またはＮＰＢＣＨ上で直前のサブフレーム中または後に来るダウンリンクフレーム中で送信されるＯＦＤＭシンボルを反復するために使用される。一実施形態では、ＤｗＰＴＳ中のＯＦＤＭシンボルは、ＳＩを搬送するダウンリンクサブフレーム中のＯＦＤＭシンボルを反復するために使用される。別の実施形態では、ＤｗＰＴＳ中のＯＦＤＭシンボルは、１次同期信号（ＰＳＳ）および２次同期信号（ＳＳＳ）など、同期信号を搬送するダウンリンクサブフレーム中のＯＦＤＭシンボルを反復するために使用される。
【００２５】
ＮＰＤＣＣＨは、たとえば、（どのＵＥ３０がダウンリンク送信を受信するためにスケジュールされるかを示す）ダウンリンクスケジューリング情報と、（アップリンク送信のためにＵＥ３０によって使用されるべきアップリンクリソースを示す）アップリンク許可情報と、ページング通知と、ＳＩの変更の指示とを送信するために使用される。ＮＢ−ＩｏＴの場合、ＮＰＤＣＣＨ反復の数は、１、２、４、８、１６、３２、６４、１２８、２５６、５１２、１０２４、および２０４８であり得る。ＮＰＤＣＣＨ サブフレームは、図３に示されているように、狭帯域制御チャネルエレメント（ＮＣＣＥ）０および１にスプリットされる。ＮＣＣＥ０は最も低い６つのサブキャリアを使用し、ＮＣＣＥ１は最も高い６つのサブキャリアを使用する。ＮＣＣＥによって使用されるリソースエレメント（ＲＥ）の数は、展開モード（スタンドアロン、インバンド、またはガードバンド）と、論理アンテナポートの数とに依存する。
【００２６】
図３は、インバンド展開および２つの論理アンテナポートについてのＮＰＤＣＣＨの場合の例示的なリソースマッピングを示す。狭帯域参照信号（ＮＲＳ）およびセル固有参照信号（ＣＲＳ）とを搬送するリソースエレメント（ＲＥ）（すなわち、黒およびグレーで示されたＲＥ）は、セル識別情報に応じて上または下にシフトされ得る。ＮＲＳは、チャネル推定のためにおよびダウンリンク測定を実行するためにＵＥ３０によって使用される。ＮＲＳは、ＮＰＢＣＨ、ＮＰＤＣＣＨ、およびＮＰＤＳＣＨを送信するために使用されるサブフレーム中のアンテナポート当たりサブフレーム当たり８つのリソースエレメントを使用してマッピングされる。いくつかのスペシャルサブフレーム設定では、ＤｗＰＴＳ中のＯＦＤＭシンボルの数は、１つのＮＣＣＥを搬送するのには十分に含まれていない。これらのスペシャルサブフレーム設定の場合、スペシャルサブフレームはＮＰＤＣＣＨのダウンリンク送信のために使用されない。この場合、ＮＰＤＣＣＨ探索空間の設定中にスペシャルサブフレームを含める必要はない。したがって、いくつかの実施形態では、スペシャルサブフレームは、ＮＰＤＣＣＨ上のダウンリンク送信のために使用され、いくつかのスペシャルサブフレーム設定のためのＮＰＤＣＣＨ探索空間中には含まれるが、他のスペシャルサブフレーム設定のためのＮＰＤＣＣＨ探索空間中には含まれない。
【００２７】
図４は、ＮＰＤＣＣＨを搬送するダウンリンクサブフレーム中のＯＦＤＭシンボルがスペシャルサブフレームのＤｗＰＴＳパート中でどのようにマッピングされ、反復され得るかの１つの例を示す。図４に示された例は、ＤｗＰＴＳが３つのＯＦＤＭシンボルを含むスペシャルサブフレーム設定０（表２）を仮定する。ダウンリンクサブフレーム中のＯＦＤＭシンボル５、６、および１２はＤｗＰＴＳ中のＯＦＤＭシンボル０、１、および２にマッピングされる。この例では、ＮＲＳを含んでいるダウンリンクサブフレーム中のＯＦＤＭシンボルのみが反復されることが観測され得る。ＮＲＳを含んでいるＯＦＤＭシンボルは、ＤｗＰＴＳ中の最後の利用可能なＯＦＤＭが充填されるまでスペシャルサブフレームに昇順でマッピングされる。また、ダウンリンクサブフレーム中のＯＦＤＭシンボルがＤｗＰＴＳ中の異なるインデックス位置にマッピングされることが観測され得る。
【００２８】
ＤｗＰＴＳがより多数のＯＦＤＭシンボルを含む他のシナリオがある。ＤｗＰＴＳ中の多数のＯＦＤＭシンボルが利用可能である場合、ＮＲＳを含んでいるＯＦＤＭシンボルは、昇順、降順、または何らかの他の方式に従って優先度を付けられ、最初にスペシャルサブフレームにマッピングされ得る。ＮＲＳを含んでいるすべてのＯＦＤＭシンボルがマッピングされると、残っているＯＦＤＭシンボルはＤｗＰＴＳ中の利用可能なＯＦＤＭシンボルが充填されるまで、昇順、降順または何らかの他の指定された順序に従ってマッピングされ得る。場合によっては、スペシャルサブフレーム中のＯＦＤＭシンボルは、スペシャルサブフレームに固有のＮＲＳを含み得る。これらのＮＲＳは、ダウンリンクサブフレーム中のＮＲＳとは異なる位置を占有し得る。また、インバンド展開シナリオの場合、スペシャルサブフレーム中のＯＦＤＭシンボルはレガシーセル固有参照信号（ＣＲＳ）を含み得る。ＯＦＤＭシンボルがダウンリンクサブフレームからスペシャルサブフレームのＤｗＰＴＳにマッピングされるとき、いくつかのＲＥを省略する必要があり得る。すなわち、ＯＦＤＭシンボルがダウンリンクサブフレームからスペシャルサブフレームにマッピングされるとき、スペシャルサブフレーム中のＮＲＳまたはレガシーＣＲＳに対応するロケーションにおけるＲＥは、省略され得（すなわち、これらのＲＥはマッピングされない）、スペシャルサブフレーム中のＮＲＳまたはＣＲＳによって交換され得る。
【００２９】
図５Ａ〜図５Ｄは、どのようにしてＯＦＤＭシンボルがダウンリンクサブフレームからスペシャルサブフレーム中のＤｗＰＴＳにマッピングされ得るかの非排他的な例を示す。簡単のために、図５Ａから図５Ｄにおける例は単一のＯＦＤＭシンボルのマッピングを示す。たいていの使用事例では、しかしながら、２つまたはそれ以上のＯＦＤＭシンボルが反復される。同じ原理は、いくつかのシンボルがスペシャルサブフレームのＤｗＰＴＳ中で反復されるときに当てはまる。
【００３０】
また、図５Ａ〜図５Ｄは、レギュラーダウンリンクサブフレームと同じ位置のスペシャルサブフレームのＤｗＰＴＳ中のＮＲＳを示し、これは、いくつかのスペシャルサブフレーム設定について当てはまらないことがある。すなわち、スペシャルサブフレーム中のＮＲＳは異なるＯＦＤＭシンボル中に配置され、それに応じて、たとえば、スペシャルサブフレーム中のＯＦＤＭシンボルインデックスに基づいて生成され得る。
【００３１】
図５Ａは、参照信号を含んでいないダウンリンクサブフレームからのＯＦＤＭシンボル（たとえば、ＯＦＤＭシンボル３）が、ＮＲＳを含んでいるスペシャルサブフレーム中のＯＦＤＭシンボル（たとえば、ＯＦＤＭシンボル５）にマッピングされ、反復される場合を示す。この場合、ＮＲＳが位置するＯＦＤＭシンボル中のＲＥは反復され得ない。これらのＲＥは、スペシャルサブフレームに固有のＮＲＳによって省略され、交換される。この同じ手法は、参照信号を含んでいないダウンリンクサブフレームからのＯＦＤＭシンボル（たとえば、ＯＦＤＭシンボル３）が、レガシーＣＲＳを搬送するスペシャルサブフレーム中のＯＦＤＭシンボル（たとえば、ＯＦＤＭシンボル４）にマッピングされ、反復される場合に使用される。この場合、ＣＲＳが位置するＯＦＤＭシンボル中のＲＥは、レガシーＣＲＳによって省略され交換される。
【００３２】
図５Ｂは、ＮＲＳを含んでいるダウンリンクサブフレームからのＯＦＤＭシンボル（たとえば、ＯＦＤＭシンボル５）が、同じ位置にＮＲＳを含んでいるスペシャルサブフレーム中のＯＦＤＭシンボル（たとえば、ＯＦＤＭシンボル５）にマッピングされ、反復される場合を示す。この場合、ユーザデータを含んでいるＲＥのみがスペシャルサブフレーム中で反復される。図５Ｃは、ＮＲＳを含んでいるダウンリンクサブフレームからＯＦＤＭシンボル（たとえば、ＯＦＤＭシンボル５）が、同じ位置にＮＲＳを含んでいないスペシャルサブフレーム中のＯＦＤＭシンボル（たとえば、ＯＦＤＭシンボル３）にマッピングされ、反復される場合を示す。この場合、いくつかのマッピング手法が可能である。第１の手法では、ユーザデータを搬送するＲＥのみが反復され、参照信号位置は空のままにされる。第２の手法では、ＯＦＤＭシンボル全体、すなわち、ユーザデータ＋参照信号が反復される。第３の手法では、ユーザデータを搬送するＲＥのみがスペシャルサブフレーム中で反復され、スペシャルサブフレームに固有の新しいＮＲＳが、空のＲＥを充填するために生成される。すなわち、データＲＥは反復されるが、参照信号は新たに生成される。
【００３３】
図５Ｄは、ＮＲＳを含んでいるダウンリンクサブフレームからのＯＦＤＭシンボル（たとえば、ＯＦＤＭシンボル５）が、同じロケーションにレガシーＣＲＳを含んでいるスペシャルサブフレーム中のＯＦＤＭシンボル（たとえば、ＯＦＤＭシンボル５）にマッピングされ、反復される場合を示す。この場合、ユーザデータを含んでいるＲＥのみがスペシャルサブフレーム中で反復され、ＯＦＤＭシンボル中のＮＲＳはスペシャルサブフレーム中のＣＲＳによって交換される。
【００３４】
ＵＥ３０から基地局２０へのアップリンク送信の場合、ＵｐＰＴＳ中のＳＣ−ＦＤＭＡシンボルは、直後のアップリンクサブフレーム中で、またはＮＰＵＳＣＨ上の先行するアップリンクサブフレーム中で送信されるＳＣ−ＦＤＭＡシンボルを反復するために使用され得る。ＮＰＵＳＣＨは、上位レイヤ（フォーマット１）からのアップリンクユーザデータおよび制御情報を搬送する。さらに、ＮＰＵＳＣＨは、ＮＰＤＳＣＨ（フォーマット２）のためのハイブリッド自動再送要求（ＨＡＲＱ）肯定応答を搬送することができる。最大送信ブロックサイズ（ＴＢＳ）は１０００ビットであり、サブキャリア間隔は１５ＫＨｚまたは３．７５ＫＨｚであり得る。マルチトーン送信およびシングルトーン送信がサポートされる。４位相シフトキーイング（ＱＰＳＫ）がマルチトーン送信のために使用されるが、シングルトーンは、ピーク対平均パワー比を低減するためにπ／２−ＢＰＳＫまたはπ／４−ＱＰＳＫを使用する。トランスポートブロック（ＴＢ）をマッピングするための最も小さいユニットはリソースユニット（ＲＵ）であり、ＲＵは、ユーザの帯域幅割当ておよびＮＰＵＳＣＨフォーマットに依存する。ＮＰＵＳＣＨのための反復の数は、１、２、４、８、１６、３２、６４、１２８、および２５６である。
【００３５】
図６は、ＮＰＵＳＣＨのためのリソースマッピングの一例を示す。１５ｋＨｚサブキャリア間隔の場合、各スロットの中心にあるＳＣ−ＦＤＭＡシンボルは復調参照シンボル（ＤＭＲＳ）を搬送し、これにより、基地局２０はアップリンクチャネル状態を推定することが可能になる。
【００３６】
図７は、ＮＰＵＳＣＨを搬送する後続のアップリンクサブフレーム中のＳＣ−ＦＤＭＡシンボルがスペシャルサブフレームのＵｐＰＴＳパートにどのようにマッピングされ、反復され得るかの一例を示す。この例は、スロット当たり１つのＤＭＲＳを有するＮＰＵＳＣＨフォーマット１に基づく。ＮＰＵＳＣＨフォーマット２の場合、スロット当たり３つのＤＭＲＳがある。この例は、ＵｐＰＴＳが１つのＳＣ−ＦＤＭＡシンボルを含むスペシャルサブフレーム設定０（表２）を仮定する。スペシャルサブフレームの後に来るアップリンクサブフレーム中のＳＣ−ＦＤＭＡシンボル３は、ＵｐＰＴＳの第２のスロット中のＳＣ−ＦＤＭＡシンボル６にマッピングされる。この例では、ＤＭＲＳを含んでいるアップリンクサブフレーム中のただ１つのＳＣ−ＦＤＭＡシンボルがマッピングされることが観測され得る。より多くのＳＣ−ＦＤＭＡシンボルがＵｐＰＴＳ中で利用可能である場合、ＤＭＲＳを含んでいるアップリンクサブフレーム中のＳＣ−ＦＤＭＡシンボルは、ＵｐＰＴＳ中の利用可能なＳＣ−ＦＤＭＡシンボルのすべてが充填されるまで、昇順、降順または何らかの他の指定された順序で、スペシャルサブフレームユニットのＵｐＰＴＳにマッピングされる。ＵｐＰＴＳ中の多数のＳＣ−ＦＤＭＡシンボルが利用可能である場合、ＤＭＲＳを含んでいるＳＣ−ＦＤＭＡシンボルは、昇順、降順で、または何らかの他の方式に従って優先度を付けられ、最初にスペシャルサブフレームにマッピングされ得る。ＤＭＲＳを含んでいるすべてのＳＣ−ＦＤＭＡシンボルがマッピングされると、残っているＳＣ−ＦＤＭＡシンボルは、ＵｐＰＴＳ中の利用可能なＳＣ−ＦＤＭＡシンボルが充填されるまで、昇順、降順または何らかの他の指定された順序で、スペシャルサブフレームユニットのＵｐＰＴＳにマッピングされ得る。
【００３７】
ダウンリンクサブフレームまたはアップリンクサブフレーム中のＳＣ−ＦＤＭＡシンボルを反復するためにスペシャルサブフレームを使用することに加えて、ＤｗＰＴＳおよび／またはＵｐＰＴＳが、他のデータを送信するために使用され得る。一例では、ＵＥ３０は、スペシャルサブフレーム中の１つまたは複数のＳＣ−ＦＤＭＡシンボル中のアップリンク参照信号を送信する。別の例では、ＵＥ３０は、スペシャルサブフレームのＵｐＰＴＳ中の１つまたは複数のＳＣ−ＦＤＭＡシンボル中のアップリンクスケジューリング要求またはサウンディング参照信号（ＳＲＳ）を送信する。同様に、基地局２０は、スペシャルサブフレームのＤｗＰＴＳ中の１つまたは複数のＯＦＤＭシンボル中のＮＲＳ（必ずしもノーマルサブフレームと同じ位置にあるとは限らない）を送信し得る。スペシャルサブフレームはまた、タイミングアドバンスを調整するために使用され得る。たとえば、基地局２０から遠いＵＥ３０がＵｐＰＴＳを使用するためにスケジュールされる場合、ＵＥ３０は大きいタイミングアドバンスを必要とし得る。タイミングアドバンスはスペシャルサブフレーム中のＧＰ持続時間よりも大きくなり得る。この場合、ＤｗＰＴＳ中で使用されるＯＦＤＭシンボルのうちの１つまたは複数は、ブランクのままにされ、したがって、ＵｐＰＴＳ中で送信するためにスケジュールされたＵＥ３０のタイミングアドバンスに適応するために使用され得る。
【００３８】
反復なしの（すなわち、反復の数が１に等しい）ＮＢ−ＩｏＴ送信の場合、スペシャルサブフレームは異なる方法で使用され得る。前に説明したように、いくつかの異なるスペシャルサブフレーム設定があり、それらのうちのいくつかは、ＤｗＰＴＳのために利用可能な極めて多数のＯＦＤＭシンボルを有する。ＮＰＤＳＣＨまたはＮＰＤＣＣＨのための反復の数が１に等しい（リソースユニットが反復されないことを意味する）場合、およびＤｗＰＴＳによって使用されるＯＦＤＭシンボルの数がしきい値に応じて十分大きい（たとえば、しきい値よりも大きい）場合、スペシャルサブフレームはリソースユニットの一部としてカウントされ、レートマッチングがＤｗＰＴＳ中の利用可能なＯＦＤＭシンボルを使用して実行される。インバンドの場合、ＤｗＰＴＳ中のＯＦＤＭシンボルのうちのいくつかはレガシーＬＴＥ制御チャネルのために予約され得ることに留意されたい。予約されたＯＦＤＭシンボルはレートマッチングのために使用されない。一方、ＤｗＰＴＳによって使用されるＯＦＤＭシンボルの数がしきい値に応じて小さい（たとえば、しきい値よりも小さい）場合、スペシャルサブフレームは、複数のサブフレームを含んでいるリソースユニットの一部としてカウントされ得るが、スペシャルサブフレーム中のＯＦＤＭシンボルはレートマッチングのために使用されない。
【００３９】
レートマッチングを実行するために、基地局２０は、１）スペシャルサブフレームなしのリソースユニットと同じコードレートを使用し、利用可能なＯＦＤＭシンボルを充填するためにスペシャルサブフレームを含んでいるリソースユニット中のＴＢＳを調整すること、または、２）スペシャルサブフレームなしのリソースユニットと同じサイズのＴＢＳを使用し、利用可能なＯＦＤＭシンボルを充填するためにスペシャルサブフレームを含んでいるリソースユニット中のコードレートを調整することのいずれかができる。ＧＰおよびＵｐＰＴＳに割り当てられたＯＦＤＭシンボルはブランクのままにされ得る。
【００４０】
図８Ａは、各リソースユニットが２つのサブフレームを備える例を示す。図８Ａは、ＤｗＰＴＳ中のＯＦＤＭシンボルの数がしきい値要件を満たす場合を示す。シェーディングは、レートマッチングのために使用されるサブフレームを示す。この例では、ＲＵ１はスペシャルサブフレームを含み、ＤｗＰＴＳ中の利用可能なＯＦＤＭシンボルはレートマッチングのために使用される。図８Ｂは、ＤｗＰＴＳ中のＯＦＤＭシンボルの数がしきい値要件を満たさない場合を示す。この例では、ＲＵ１はスペシャルサブフレーム（すなわち、スペシャルサブフレームがパートＲＵ１としてカウントされる）を含むが、ＤｗＰＴＳ中の利用可能なＯＦＤＭシンボルはレートマッチングのために使用されない。この場合、コードレートおよび／またはＴＢＳは、ダウンリンクサブフレーム中のデータに適合するように調整される。
【００４１】
スペシャルサブフレームを使用するこのレートマッチング技法はまた、ＮＰＵＳＣＨのための反復の数が１に等しいとき、ＮＰＵＳＣＨに適用され得る。この場合、ＵＥ３０は、ＵｐＰＴＳ中のＳＣ−ＦＤＭＡシンボルの数がしきい値に応じて十分に大きい（たとえば、しきい値よりも大きい）とき、レートマッチングのためにスペシャルサブフレームのＵｐＰＴＳ中の利用可能なＳＣ−ＦＤＭＡシンボルを使用することができる。
【００４２】
図９は、無線ノード（たとえば、基地局２０またはＵＥ３０）によって実装されるデータ送信の例示的な方法１００を示す。無線ノード２０、３０は、複数のシンボルを備える第１のサブフレーム中のデータを送信する（ブロック１１０）。第１のサブフレームは、ＴＤＤ通信のために使用される無線フレーム中のダウンリンクサブフレームおよびアップリンクサブフレームのうちの１つを含む。言い換えれば、第１のサブフレームは、レギュラーダウンリンクサブフレームまたはレギュラーアップリンクサブフレームのいずれかであり得る。無線ノード２０、３０は、スペシャルサブフレームにおいて第１のサブフレームの１つまたは複数のシンボル中のリソースエレメントを反復する（ブロック１２０）。いくつかの実施形態では、スペシャルサブフレームにおけるシンボル中のリソースエレメントの反復は、第１のサブフレーム中の対応するシンボルのリソースエレメントのすべてよりも少ないリソースエレメントを含み得る。反復されないリソースエレメントはスペシャルサブフレーム中の参照信号によって交換され得る。
【００４３】
図１０は、無線ノード（たとえば、基地局２０またはＵＥ３０）によって実装される、データを受信する例示的な方法１５０を示す。無線ノード２０、３０は、複数のシンボルを備える第１のサブフレーム中のデータを受信する（ブロック１６０）。第１のサブフレームは、ＴＤＤ通信のために使用される無線フレーム中のダウンリンクサブフレームおよびアップリンクサブフレームのうちの１つを含む。無線ノードは、第１のサブフレームに先行するまたは後に来るスペシャルサブフレームを受信する（ブロック１７０）。スペシャルサブフレームは、第１のサブフレームの１つまたは複数のシンボル中のリソースエレメントの反復を含んでいる。無線ノードは、次いで、スペシャルサブフレーム中の受信されたシンボルと第１のサブフレーム中で受信された対応するシンボルとを随意に組み合わせ得る（ブロック１８０）。いくつかの実施形態では、スペシャルサブフレームにおけるシンボルの反復は、第１のサブフレーム中の対応するシンボルのリソースエレメントのすべてよりも少ないリソースエレメントを含み得る。反復されないリソースエレメントはスペシャルサブフレーム中の参照信号によって交換され得る。
【００４４】
図１１は、レートマッチングのためのスペシャルサブフレームを使用するように設定された無線ノード（たとえば、基地局２０またはＵＥ３０）によって実装される例示的な方法２００を示す。無線ノード２０または３０は、送信のための反復の数を決定する（ブロック２１０）。反復の数が所定の数に等しい（たとえば、反復の＃＝１）場合、無線ノード２０または３０は、スペシャルサブフレーム中のシンボルの数を決定する（ブロック２２０）。基地局２０の場合、基地局２０はスペシャルサブフレームのＤｗＰＴＳ中のＯＦＤＭシンボルの数を決定する。ＵＥ３０の場合、ＵＥ３０は、スペシャルサブフレームのＵｐＰＴＳ中のＳＣ−ＦＤＭＡシンボルの数を決定する。決定された数は、ＤｗＰＴＳまたはＵｐＰＴＳ中の予約されたシンボルを含むかまたは除外し得る。スペシャルサブフレームのＤｗＰＴＳ中のＯＦＤＭシンボルの数またはスペシャルサブフレームのＵｐＰＴＳ中のＳＣ−ＦＤＭＡシンボルの数がしきい値要件を満たす場合、無線ノード２０、３０は、レートマッチングを実行するためにスペシャルサブフレーム中の利用可能なシンボルを使用する（ブロック２３０）。スペシャルサブフレームのＤｗＰＴＳまたはＵｐＰＴＳ中のシンボルの数がしきい値要件を満たさない場合、無線ノード２０、３０は、レートマッチングのためにスペシャルサブフレームのシンボルを使用しない（ブロック２４０）。いくつかの実施形態では、スペシャルサブフレームは、２つまたはそれ以上のサブフレームを備えるリソースユニットの一部としてカウントされ得る。スペシャルサブフレームは、利用可能なシンボルの数がしきい値よりも小さく、シンボルがレートマッチングのために使用されないにもかかわらず、リソースユニットの一部としてカウントされ得る。
【００４５】
図１２は、本明細書で説明するＴＤＤ通信のために設定された無線ノード３００（たとえば、基地局２０またはＵＥ３０）の主要な機能構成要素を示す。無線ノード３００は、処理回路３１０と、メモリ３４０と、インターフェース回路３５０とを備える。
【００４６】
インターフェース回路３５０は、１つまたは複数のアンテナ３６０に結合されたＲＦ回路３５５を含む。ＲＦ回路３５５は、無線通信チャネル上で１つまたは複数のＵＥと通信するために必要とされるＲＦ構成要素を備える。一般に、ＲＦ構成要素は、ＬＴＥ規格、または他のＲＡＴによる通信のために適合された送信機および受信機を含む。
【００４７】
処理回路３１０は、ネットワークノード３００に送信された信号またはネットワークノード３００によって受信された信号を処理する。そのような処理は、送信された信号の符号化および変調、ならびに受信された信号の復調および復号を含む。処理回路３１０は、１つまたは複数のマイクロプロセッサ、ハードウェア、ファームウェア、またはそれらの組合せを備えることができる。処理回路３１０は、図９および図１０の方法を含む、本明細書で説明した方法およびプロシージャを実行するように設定される。
【００４８】
図１２に示された例示的な実施形態では、処理回路３１０は、送信ユニット３１５と、受信ユニット３２０と、レートマッチングユニット３２５と、タイミングアドバンスユニット３３０とを含む。送信ユニット３１５および受信ユニット３２０は、図９および図１０に示された方法１００および２００に従ってＴＤＤ送信および受信を実行するように設定される。レートマッチングユニット３２５は、図１１の方法を含む、上記で説明したレートマッチングを実行するように設定される。タイミングアドバンスユニットは、上記で説明した送信および受信タイミングを調整するように設定される。
【００４９】
メモリ３４０は、動作のために処理回路３１０によって必要とされるコンピュータプログラムコードおよびデータを記憶するための揮発性メモリと不揮発性メモリの両方を備える。メモリ３４０は、電子、磁気、光、電磁、または半導体データストレージを含むデータを記憶するための任意の有形非一時的コンピュータ可読記憶媒体を備えることができる。メモリ３４０は、図８および図９に示された方法を含む、本明細書で説明した方法およびプロシージャを実装するように処理回路３１０を設定する、実行可能命令を備えるコンピュータプログラム３４５を記憶する。一般に、コンピュータプログラム命令および設定情報は、ＲＯＭ、ＥＰＲＯＭまたはフラッシュメモリなど、不揮発性メモリに記憶される。動作中に生成された一時データは、ＲＡＭなど、揮発性メモリに記憶され得る。いくつかの実施形態では、処理回路３１０を設定するためのコンピュータプログラム３４５は、ポータブルコンパクトディスク、ポータブルデジタルビデオディスク、または他のリムーバブル媒体など、リムーバブルメモリに記憶され得る。コンピュータプログラム３４５はまた、電子信号、光信号、無線信号、またはコンピュータ可読記憶媒体などのキャリア中で実施され得る。
【図１】
0006907405.tif 000007
【図２Ａ】
0006907405.tif 000008
【図２Ｂ】
0006907405.tif 000009
【図３】
0006907405.tif 000010
【図４】
0006907405.tif 000011
【図５Ａ】
0006907405.tif 000012
【図５Ｂ】
0006907405.tif 000013
【図５Ｃ】
0006907405.tif 000014
【図５Ｄ】
0006907405.tif 000015
【図６】
0006907405.tif 000016
【図７】
0006907405.tif 000017
【図８】
0006907405.tif 000018
【図９】
0006907405.tif 000019
【図１０】
0006907405.tif 000020
【図１１】
0006907405.tif 000021
【図１２】
0006907405.tif 000022